(57)【要約】【課題】  従来のＣＡＴＶ用機器は、電源ユニットを１８０度回転させる場合、ケーブルを引き伸ばす必要があり、筐体内でケーブルが邪魔になる等してＡＣコードの引出し方向の転換が困難であった。【解決手段】  ＡＣコードと電源を機器本体に供給するための電源供給用コネクタを備える電源ユニットを機器本体に着脱自在とした壁面取付け可能なＣＡＴＶ用機器において、電源供給用コネクタが電源ユニットの中央部に設けられたものである。このＣＡＴＶ用機器では、ＣＡＴＶ用機器を壁面に取付けるための取付け部を機器本体に設けることができる。また、電源ユニットの筺体の側壁にコード取付け口を下方開口に形成し、その下方開口部からＡＣコードをコード取付け口に着脱自在とすることもできる。更に、機器本体と電源ユニットとを固定するための機器本体の止め穴と電源ユニットの止め穴を水平方向１８０度の対称位置に設けてある。【選択図】図１
2005159644.tif 000002
【特許請求の範囲】
【請求項１】
ＡＣコードと電源を機器本体に供給するための電源供給用のコネクタを備えた電源ユニットを、機器本体に着脱自在とした壁面取付け可能なＣＡＴＶ用機器において、電源供給用コネクタが電源ユニットの中央部に設けられたことを特徴とするＣＡＴＶ用機器。
【請求項２】
請求項１記載のＣＡＴＶ用機器において、ＣＡＴＶ用機器を壁面に取付けるための取付け部が機器本体に設けられたことを特徴とするＣＡＴＶ用機器。
【請求項３】
請求項１又は請求項２に記載のＣＡＴＶ用機器において、電源ユニットの筐体の側壁にコード取付け口が下方開口に形成され、その下方開口部からＡＣコードをコード取付け口に着脱自在としたことを特徴とするＣＡＴＶ用機器。
【請求項４】
請求項１乃至請求項３のいずれかに記載のＣＡＴＶ用機器において、機器本体と電源ユニットとを固定するための機器本体の止め穴と電源ユニットの止め穴が水平方向１８０度対称位置に設けられたことを特徴とするＣＡＴＶ用機器。
【発明の詳細な説明】
【技術分野】
【０００１】
本発明はアンテナからの出力信号を増幅するブースタ等のＣＡＴＶ用機器に関するものである。
【背景技術】
【０００２】
従来、ＵＨＦブースタ、ＶＨＦブースタ、ＢＳブースタ、ＣＳブースタ、ＣＡＴＶブースタ等のＣＡＴＶ用機器には壁掛け式のものもある。図５に示すものは壁掛け式ブースタの一例である。これは本体Ａに電源ユニットＢを着脱自在に取付けるものである。電源ユニットＢの筐体Ｃの長手方向には取付け片Ｄ1、Ｄ2が形成され、筐体Ｃの長手方向一端の側壁にはＡＣコードＥが固定され、筐体Ｃの内側の長手方向一端側には電源供給用雄コネクタＦが取付けられている。本体Ａは前記電源ユニットＢを取付けるための取付け空間Ｇに、電源供給用雌コネクタＨが引き出されており、それを前記電源供給用雄コネクタＦと接続可能としてある。本体Ａに電源ユニットＢを取付けるには、図５に示すように、本体Ａの取付け空間Ｇの表面の螺子穴Ｉに電源ユニットＢを螺子止めして取付ける。ブースタを壁面に取付けるには、一方の取付け片Ｄ1に開口した孔Ｋを釘やビスに掛け、他方の取付け片Ｄ2の開口穴Ｌを釘やビスで壁面に取付ける。
【発明の開示】
【発明が解決しようとする課題】
【０００３】
従来の壁掛け式ブースタには次のような課題があった。
（１）建物、施設等の電源のコンセントの位置の都合で、電源ユニットＢのＡＣコードＥの引き出し方向を１８０度変えなければならない場合がある。しかし、従来のＣＡＴＶ機器では図５に示すように、ＡＣコードＥが電源ユニットＢの筐体Ｃの穴に差し込まれて脱着できないことがある。この場合は、電源ユニットＢの向きを１８０度変えるとＡＣコードＥが邪魔になる。場合によっては、ＡＣコードＥを電源ユニットＢから一旦外して電源ユニットＢに付け替えなければならないこともあり、作業が大変である。
（２）図５のように、電源供給用雄コネクタＦが筐体Ｃの内側の長手方向一端側に取付けられているので、電源ユニットＢを水平に１８０度回転させて筐体Ｃに取付けるためには、ケーブルＭを引き伸ばして電源供給用雌コネクタＨを電源供給用雄コネクタＦに接続しなければならない。このため、それを見越して電源供給用雌コネクタＨが接続されているケーブルＭを長くしておかなければならず、そのようにすると、ケーブルＭが筐体Ｃ内で邪魔になり、配線しにくくなったり、配線が煩雑になる。また、ケーブルＭを引き延ばさなければならないため、両コネクタの接続作業も面倒である。
（３）取付け片Ｄ1、Ｄ2が電源ユニットＢに備えられているので、図５に示すブースタを壁に掛ける際には、釘やビスを通過させて掛けられる孔Ｋを開口した取付け片Ｄ1側が上側に来るように取付けなければならないため、電源ユニットＢを形成した段階でＡＣコードＥの引出し方向が決定されてしまい、ＡＣコードＥの引出し方向を変える事が困難であった。
【課題を解決するための手段】
【０００４】
本発明の目的は、電源ユニットを手軽に水平に１８０度回転させて機器本体に付け替えることができるＣＡＴＶ用機器を提供することにある。
【０００５】
本件出願のＣＡＴＶ用機器は、ＡＣコードと電源を機器本体に供給するための電源供給用コネクタを備える電源ユニットを機器本体に着脱自在とした壁面取付け可能なＣＡＴＶ用機器において、電源供給用コネクタが電源ユニットの中央部に設けられたものである。このＣＡＴＶ用機器では、ＣＡＴＶ用機器を壁面に取付けるための取付け部を機器本体に設けることができる。また、電源ユニットの筐体の側壁にコード取付け口を下方開口に形成し、その下方開口部からＡＣコードをコード取付け口に着脱自在とすることもできる。更に、機器本体と電源ユニットとを固定するための機器本体の止め穴と電源ユニットの止め穴を水平方向１８０度の対称位置に設けてある。
【発明の効果】
【０００６】
本件出願のＣＡＴＶ用機器には次のような効果がある。
（１）電源供給用コネクタが電源ユニットの中央部に備え付けられているので、電源ユニットを水平方向に１８０度回転させて本体に取付ける際にも、電源供給用コネクタのケーブルを引き伸ばす必要はなく、容易に作業が済む。また、回転を見越してケーブルを長くしておく必要が無いため、筐体内でケーブルが邪魔になることもない。
（２）ＣＡＴＶ用機器を壁面に掛けるための取付け部を機器本体側に設けたので、電源ユニットの方向を変えても機器本体の取付け方向を変えずに済むため、ＡＣコードの引き出し方向を容易に変える事ができ、機器本体の取付け方向に関わらず、ＡＣコードを適切な方向に引き出すことができる。
（３）ＡＣコードを電源ユニットに着脱自在としたので、ＡＣコードの引き出し方向を容易に変えることができ、ＣＡＴＶ機器の取付け向きに応じて適切な方向にＡＣコードを引き出すことができる。
（４）機器本体と電源ユニットとを固定するための機器本体の止め穴と電源ユニットの止め穴が水平方向１８０度対称位置に設けられているため、電源ユニットを水平方向に１８０度回転させても機器本体に取付けることができる。
【発明を実施するための最良の形態】
【０００７】
（実施形態１）
本発明のＣＡＴＶ用機器の実施形態を、ブースタを一例として図面に基づいて説明する。本発明のブースタは図１、図２に示すように、機器本体１と電源ユニット２とを組み合わせてなる。
【０００８】
前記した機器本体１は図１に示すように、筐体３の上面の幅方向約半分に、所定間隔で複数枚のフィン４が並べて立設され、筐体３の上面の残り半分にはフィン４を立設せずに、前記電源ユニット２を取付けるための取付け空間５が形成されている。この取付け空間５の四隅には四本のボス６が立設され、夫々のボス６の上面に取付け穴（螺子穴）６ａが開口されている。前記取付け空間５の中央部には引出し穴７が開口されており、その引出し穴７からケーブル８が引き出され、その先端に電源供給用コネクタ９が接続されている。このボス６及び取付け穴６ａは水平方向１８０度の対称位置に設けられている。
【０００９】
前記したフィン４の長手方向一端部には全てのフィン４を横切るように細長の取付け部１０が成形され、その長手方向両端部に取付け穴１０ａが形成されている。また、２枚のフィン４の長手方向一端部の上面に取付け部１１が形成され、その取付け部１１には細長の開口穴１１ａが形成されている。開口穴１１ａを壁面に打ち込まれている釘、ビス、螺子等の掛止具に係止して壁面に吊り下げ、取付け穴１０ａに釘、ビス、螺子等の掛止具を差し込むことにより、機器本体１を壁に掛けることができる。
【００１０】
前記電源ユニット２の筐体１２は図２に示すように、前記取付け空間５に適合する大きさ及び形状の下面開口の箱型に形成されており、その筐体１２に電源供給用コネクタ１３と、ＡＣコード１４とが備えられている。前記電源供給用コネクタ１３は筐体１２の内側中央部に備えられており、電源ユニット２を機器本体４の取付け空間５に取付けると前記電源供給用コネクタ９の直上に位置するようにしてあり、電源供給用コネクタ１３を電源供給用コネクタ９と接続して電源を供給できるようにしてある。
【００１１】
前記ＡＣコード１４は図１に示すように筐体１２の側壁１５に取付けられている。この場合、図４に示すように、筐体１２の側壁１５にコード取付け口１６が下方開口に形成され、その下方開口部からＡＣコード１４に被せてあるゴム製保護チューブ１７を着脱自在としてある。取り外したＡＣコード１４を反対側の側壁部１５に取付けることができるようにするため、その反対側の側壁１５にもコード取付け口１６を下方開口に形成しておくこともできる。
【００１２】
また、電源ユニット２の筐体１２の上面１８の四隅にはビス、螺子等の掛止具１９を挿通可能な止め孔２０が開口されており、それに差し込んだ止め孔２０を図１に示す機器本体１の螺子穴６ａに螺子込み可能としてある。止め孔２０は水平方向１８０度対称位置に形成されている。
【００１３】
図１のブースタは電源ユニット２と機器本体１の電源供給用コネクタ９と１３を接続してから、図２のように電源ユニット２を機器本体１の取付け空間５に配置し、電源ユニット２の止め孔２０に差し込んだビスや螺子等の掛止具１９を、機器本体１の螺子穴６ａにねじ込むと、電源ユニット２の機器本体１への取付けが完了しブースタが完成する。
【００１４】
本発明の機器本体１と電源ユニット２とは、電源ユニット２を図２の状態から図３のように水平方向に１８０度回転させても、機器本体１に形成された螺子穴６ａと電源ユニット２の止め孔２０との位置が合致して掛止具１９による固定が可能であり、また、電源供給用コネクタ９のケーブル８を引き出すことなく、そのままの位置で両電源供給用コネクタ９と１３を接続することが可能である。
【産業上の利用可能性】
【００１５】
本発明のブースタは、フィールド共同受信伝送システムや、ビル共同受信伝送システム等に応用することができる。
【図面の簡単な説明】
【００１６】
【図１】本発明のブースタの実施形態の一例を示す斜視説明図。
【図２】図１に示すブースタの斜視図。
【図３】図１に示すブースタの他の態様の斜視図。
【図４】図１に示すブースタの電源ユニット部の斜視説明図。
【図５】従来のブースタの様子を示す斜視説明図。
【符号の説明】
【００１７】
１  機器本体
２  電源ユニット
３  筐体（機器本体側）
４  フィン
５  取付け空間
８  ケーブル
９  電源供給用コネクタ（機器本体側）
１２  筐体（電源ユニット側）
１３  電源供給用コネクタ（電源ユニット側）
１４  ＡＣコード
１５  側壁部
【図１】
2005159644.tif 000003
【図２】
2005159644.tif 000004
【図３】
2005159644.tif 000005
【図４】
2005159644.tif 000006
【図５】
2005159644.tif 000007